(57)【要約】【課題】照明器具の球切れが生じたときに、それを速やかに確認することができるとともに、その復旧作業を脚立や足場などを用いることなく、容易に能率よく安全に行なうことができる照明器具付きエスカレータ装置を提供する。【解決手段】エスカレータ１ａ，１ｂの底部の外装体１５に、その外装体１５の下方を照明するための照明器具１６が設けられる照明器具付きエスカレータ装置において、照明器具１６の球切れを検知し、その情報をエスカレータの管理センター２２に送信して報知することが可能な検知報知手段と、照明器具１６を外装体の外部外方へ移動させることが可能な移動手段と、移動手段を遠隔操作で動作させることが可能なリモコン３０とを備え、照明器具１６に球切れが生じたときには、リモコン３０を用いて照明器具１６を外装体１５の下方の位置まで突出移動させる。【選択図】    図１
2011236045.tif 000002
【特許請求の範囲】
【請求項１】
エスカレータの底部の外装体に、その外装体の下方を照明するための照明器具が設けられる照明器具付きエスカレータ装置において、
前記照明器具の点灯機能の良否を検知し、その情報をエスカレータの管理センターに送信して報知することが可能な検知報知手段と、
前記照明器具を前記外装体の外部外方へ移動させることが可能な移動手段と、
前記移動手段を遠隔操作で動作させることが可能な遠隔操作手段と、
を備えることを特徴とする照明器具付きエスカレータ装置。
【請求項２】
前記エスカレータは少なくとも上下二段に配置され、その下側のエスカレータの運転時には、前記遠隔操作手段の機能を無効にし、前記下側のエスカレータの運転停止時にのみに前記遠隔操作手段による遠隔操作を可能にする安全機構を備えることを特徴とする請求項１に記載の照明器具付きエスカレータ装置。
【発明の詳細な説明】
【技術分野】
【０００１】
この発明の実施形態は、エスカレータの下部を覆う外装体に照明器具が設けられた照明器具付きエスカレータ装置に関する。
【背景技術】
【０００２】
エレベータは、建屋の上下の階床間にトラス構造の主枠が据え付けられ、その主枠内に、無端状に連結された多数の踏段が収納され、その踏段が建屋の上下の階床間で無限循環移動する。踏段は駆動装置により駆動されて無限循環移動し、その踏段の上に乗った乗客が下階側の階床から上階側の階床に、あるいは上階側の階床から下階側の階床に搬送される。
【０００３】
エレベータの主枠が各階間に据え付けられ、そのトラス構造の主枠の下部周辺が下階側の天井部に露出する場合には、その主枠の下部周辺が外装体で覆われる。そしてその外装体に、その下方側を照明する照明器具が設置される場合がある。照明器具は主として外装体の底面部に複数設置される。
【先行技術文献】
【特許文献】
【０００４】
【特許文献１】特開２００４−１８９４７８号公報
【発明の概要】
【発明が解決しようとする課題】
【０００５】
上述のような照明器具付きのエスカレータにおいては、その照明器具の光源が寿命や故障で点灯不能となる、いわゆる球切れが生じ、このような球切れが生じるとエスカレータの下方側の照度が不足し、薄暗くなってしまう。
【０００６】
従来、球切れが生じたときには、係員による目視によりそれが確認され、所定の対応が採られる。しかしながら、目視により確認されるまでは球切れがそのまま放置され、したがって照度不足が長時間に渡って継続してしまうことがある。
【０００７】
球切れが係員により確認されたときには、エスカレータの下方側に係員が脚立や足場を運び込み、その脚立や足場に足を掛けて乗り、高所位置にある照明器具のカバーを開いたり分解したりして光源の交換を行なって復旧させる。
【０００８】
このように、従来においては、係員の目視に頼っているため、照明器具の球切れを速やかに確認することが難しく、またその復旧にあたっては脚立や足場などを持ち込む高所作業となるため多大な労力と時間を要するという課題がある。特に、エスカレータが上下複数段に配置され、その上側のエスカレータの照明器具が球切れを起したときには、下側のエスカレータの踏段の上に係員が脚立や足場を設置して上側のエスカレータの照明器具を点検することになるため、安全作業のための所要時間が長くなり、さらに下側のエスカレータの踏段が不用意に移動することがあれば、不測の危険を招く恐れがある。
【０００９】
この発明の実施形態は、照明器具の球切れが生じたときに、それを速やかに確認することができるとともに、その復旧作業を脚立や足場などを用いることなく、容易に能率よく安全に行なうことができる照明器具付きエスカレータ装置を提供することを目的とする。
【課題を解決するための手段】
【００１０】
このような目的を達成するために、請求項１の発明は、エスカレータの底部の外装体に、その外装体の下方を照明するための照明器具が設けられる照明器具付きエスカレータ装置において、前記照明器具の点灯機能の良否を検知し、その情報をエスカレータの管理センターに送信して報知することが可能な検知報知手段と、前記照明器具を前記外装体の外部外方へ移動させることが可能な移動手段と、前記移動手段を遠隔操作で動作させることが可能な遠隔操作手段とを備えることを特徴としている。
【００１１】
請求項２の発明は、前記エスカレータは少なくとも上下二段に配置され、その下側のエスカレータの運転時には、前記遠隔操作手段の機能を無効にし、前記下側のエスカレータの運転停止時にのみに前記遠隔操作手段による遠隔操作を可能にする安全機構を備えることを特徴としている。
【図面の簡単な説明】
【００１２】
【図１】この発明の一実施形態に係るエスカレータ装置の全体の構成を示す側面図。
【図２】そのエスカレータ装置における外装体の下面図。
【図３】そのエスカレータ装置における照明器具の設置部分の断面図。
【図４】そのエスカレータ装置における遠隔操作用のリモコンを示す平面図。
【発明を実施するための形態】
【００１３】
以下、この発明の実施の形態について図面を参照して説明する。
【００１４】
図１には、建屋の階床間に上下二段に据え付けられたエスカレータ１ａ，１ｂの全体の構成を示してある。エスカレータ１ａ，１ｂは、建屋の下階と上階との間に亘って据え付けられた主枠（トラス）２を備え、この主枠２の内部にチェーン３を介して無端状に連結された多数の踏段４が収納されている。
【００１５】
主枠２の上階側端部内には駆動輪５が、下階側端部内には従動輪６がそれぞれ回転自在に設けられ、踏段４のチェーン３がその駆動輪５と従動輪６との間に掛け渡され、駆動輪５が駆動装置７により駆動されて回転することで、チェーン３と一体的に各踏段４が無限循環移動し、その踏段４に乗った乗客が建屋の下階から上階に、あるいは上階から下階に搬送される。
【００１６】
主枠２の両側上部には、主枠２の長手方向に沿って欄干１０が取り付けられている。欄干１０の縁部には無端状の手すりベルト１１が装着され、この手すりベルト１１が欄干１０の縁部に沿って踏段４と同じ速度で同じ方向に移動する。
【００１７】
各主枠２の下部は、その下階側の天井部に露出し、その露出する各主枠２の下部周辺がボックス状の外装体１５で覆われている。外装体１５の底面部には、その下方を照明するための照明器具１６が設けられている。照明器具１６は、図２に示すように、外装体１５の長手方向に沿ってほぼ均等的に並ぶように複数設けられている。
【００１８】
図３には照明器具１６の構造を示してある。各照明器具１６は、下面開放の扁平箱形状のケース１７を備え、このケース１７内に光源として例えば直管形の蛍光ランプ１８が並列して複数収納されている。各蛍光ランプ１８は、ケース１７内に設けられたソケット台１９にそれぞれ脱着可能に装着されている。ケース１７の下面の開放部には、透光性材料で形成されたカバー２０が開閉可能に取り付けられ、このカバー２０を開くことで各蛍光ランプ１８の点検や交換を行なうことができるようになっている。
【００１９】
各照明器具１６には、各蛍光ランプ１８の球切れなどによる機能不全を検知する保守センサ２１が設けられている。そして、各照明器具１６における保守センサ２１の検知信号が各エスカレータ１ａ，１ｂを管理する管理センター２２に送られ、その管理センター２２において各照明器具１６の点灯機能の良否つまり球切れの有無が監視されている。
【００２０】
各照明器具１６は移動機構２４を介して外装体１５内に支持されている。移動機構２４は、例えば照明器具１６のケース１７の裏面に取り付けられた複数のロッド２５と、これらロッド２５を支持し、かつロッド２５をその軸方向に駆動することが可能な駆動部２６とで構成されている。駆動部２６はフレーム２７を介して外装体１５の内部に取り付けられ、ロッド２５は外装体１５の底面と直角をなす軸方向に進退移動する。通常時には、各照明器具１６は、カバー２０が外装体１５の底面とほぼ面一となる状態に保持されている。
【００２１】
各移動機構２４の駆動部２６はリモコン３０を用いて遠隔操作することが可能となっている。すなわち、リモコン３０は、図４に示すように、発信部３１及び受信部３２並びに操作部３３を有し、操作部３３を操作することにより発信部３１から所定の信号が発信される。
【００２２】
各照明器具１６には、リモコン３０の発信部３１から発信される信号を受信する受信部２３が設けられ、これら受信部２３が受信する信号に基づいてその受信部２３を有する照明器具１６における移動機構２４の駆動部２６が動作するようになっている。
【００２３】
上下二段に配置されたエスカレータ１ａ，１ｂのうちの下段側のエスカレータ１ｂの外デッキには、このエスカレータ１ｂが運転動作中であるときにその信号を発信し、運転停止時には信号を発信しない運転発信部３５が設けられている。そして、この運転発信部３５が信号を発信するときに、リモコン３０がエスカレータ１ｂの近傍位置まで近づいたときに、運転発信部３５が発信する信号をリモコン３０の受信部２３が受信し、その受信に応じてリモコン３０の操作部３３の機能が無効となり、操作部３３を操作してもリモコン３０の発信部３１からは信号が発信されないようになっている。
【００２４】
次に、本実施形態の作用について説明する。
【００２５】
各エスカレータ１ａ，１ｂが運転され、また各エスカレータ１ａ，１ｂの各照明器具１６の蛍光ランプ１８が点灯し、その点灯による光で各エスカレータ１ａ，１ｂの下方側が照明されている状態において、例えば上段側のエスカレータ１ａの一つの照明器具１６の蛍光ランプ１８が球切れを起して消灯したときには、その球切れが保守センサ２１により検知され、その信号が管理センター２２に送られ、球切れの発生が報知される。
【００２６】
したがって、管理センター２２の係員が球切れの発生を速やかに知ることができる。そして、この球切れの報知に応じて管理センター２２の係員がリモコン３０を携帯してエスカレータ１ａの下側の位置に出向き、リモコン３０の操作部３３を操作して発信部３１から球切れを起した照明器具１６に向けて信号を送る。
【００２７】
このとき、エスカレータ１ｂが運転中であると、運転発信部３５から発信される信号によりリモコン３０の操作部３３の操作が無効となっているから、係員はエスカレータ１ｂの運転スイッチを切り、エスカレータ１ｂの運転を停止させ、この状態でリモコン３０の操作部３３を操作する。この操作に応じてリモコン３０の発信部３１から所定の信号が発信され、この信号に基づいて球切れを起した照明器具１６における移動機構２４の駆動部２６が動作する。この駆動部２６の動作で、照明器具１６がエスカレータ１ａの外装体１５の底面外方側つまり下側のエスカレータ１ｂに近づく下方側の位置にまで移動する。
【００２８】
したがって、係員は下側のエスカレータ１ｂの踏段４の上に乗るだけで、脚立や足場を用いることなく照明器具１６に直接手が届き、その照明器具１６を容易に能率よく点検することができる。
【００２９】
この点検にあたっては、踏段４の上に乗った係員が照明器具１６のカバー２０を開き、ケース１７内を点検し、球切れを起した蛍光ランプ１８を新たな蛍光ランプ１８と交換し、カバー２０を閉じる。そしてこの後、リモコン３０の操作部３３を操作し、移動機構２４を動作させて照明器具１６を元位置に戻す。
【００３０】
ところで、リモコン３０は、エスカレータ１ｂが運転中のときには、操作部３３の機能が無効となっているから有効に使用することができない。もし、エスカレータ１ｂが運転されている状態のもとで、リモコン３０を操作して上側のエスカレータ１ａの照明器具１６を下側のエスカレータ１ｂに近づく下側に突出させることが可能であると、そのエスカレータ１ｂに乗客が乗っているようなときに、その乗客に照明器具１６が当って不測の危険を招く恐れがあり、またエスカレータ１ｂの踏段４に係員が乗って照明器具１６を点検するときに、その踏段４と共に係員が移動してしまうため点検することが困難であるばかりでなく不測の危険を招く恐れがあるが、このような不都合を本実施形態では解消することができる。
【００３１】
一方、下側のエスカレータ１ｂにおける照明器具１６に球切れが生じたときには、上側のエスカレータ１ａの場合と同様に、その球切れが保守センサ２１により検知され、その信号が管理センター２２に送られ、球切れの発生が報知される。したがって、球切れの発生を速やかに知ることができる。
【００３２】
そして、この球切れの報知に応じて管理センター２２の係員がリモコン３０を携帯してエスカレータ１ｂの下側のフロア位置に出向き、リモコン３０を操作し、球切れを起した照明器具１６における移動機構２４の駆動部２６を動作させて照明器具１６をエスカレータ１ｂの外装体１５の底面外方側つまりエスカレータ１ｂの下側のフロアに近づく位置にまで移動させる。したがって、係員はエスカレータ１ｂの下側のフロアに立って、脚立や足場を用いることなく、照明器具１６を容易に能率よく点検することができる。
【００３３】
エスカレータ１ｂの下側のフロアには、エスカレータ１ｂの運転発信部３５の信号は及ばず、したがってエスカレータ１ｂの照明器具１６の点検に当っては、そのエスカレータ１ｂの運転の有無にかかわらず、リモコン３０を使用してその照明器具１６を移動させることができる。
【００３４】
なお、前記実施形態は、エスカレータが上下二段に配置される場合の例であるが、上下三段やそれ以上の段数で配置される場合、あるいはエスカレータが別々の場所に個々に配置される場合であってもよい。エスカレータが個々に配置される場合には、そのエスカレータにおける照明器具の移動機構を操作するリモコンは、他のエスカレータの運転状況に関係なく操作することができるように構成される。
【００３５】
以上のように、本実施形態によれば、照明器具の球切れが生じたときに、それを速やかに確認することができるとともに、その復旧作業を脚立や足場などを用いることなく、容易に能率よく安全に行なうことができる。そして、上下二段にエスカレータが配置され、その上段のエスカレータの照明器具に球切れが生じ、リモコンを用いてその照明器具を移動させようとするときに、下側のエスカレータが運転中であると、リモコンの機能が無効であるかとから、係員が下側のエスカレータの運転スイッチを切って停止させ、この状態でリモコンを操作し、照明器具１６を移動させて点検することとなり、安全性を高めることができる。
【符号の説明】
【００３６】
１ａ．１ｂ…エスカレータ
２…主枠
４…踏段
１５…外装体
１６…照明器具
１７…ケース
１８…蛍光ランプ
２０…カバー
２１…保守センサ
２２…管理センター
２３…受信部
２４…移動機構
２５…ロッド
２６…駆動部
３０…リモコン
３１…発信部
３２…受信部
３３…操作部
３５…運転発信部
【図１】
2011236045.tif 000003
【図２】
2011236045.tif 000004
【図３】
2011236045.tif 000005
【図４】
2011236045.tif 000006